(57)【要約】【課題】レフィル容器の付け替え作業方法が一目で判断できるような容易に理解可能であり、その付け替え作業も簡単な操作で実行できる付け替え容器を提供すること。【解決手段】内容物を収容するレフィル容器４と、該レフィル容器を収納する内容器３と、該内容器３と組み付き外装容器となる外容器２と、該レフィル容器４と該内容器３を嵌合させたり嵌合を解除したりするロックダイヤル５とを備えた付け替え容器であって、該外容器２は外容器底部２２の中央部に底部開口２３を有し、該レフィル容器４はレフィル底部４２の外面から連結片４４を垂下設し、該ロックダイヤル５は該底部開口２３に収まる底板部５１に摘み部５２を有し、該底板部５１よりヒンジ部５４とアーム部５３を介して連結される係止部材５５を設けている付け替え容器。【選択図】図１
2019026329.tif 000002
【特許請求の範囲】
【請求項１】
内容物を収容するレフィル容器（４）と、該レフィル容器を収納する内容器（３）と、該内容器（３）と組み付き外装容器となる外容器（２）と、該レフィル容器（４）と該内容器（３）を嵌合させたり嵌合を解除したりするロックダイヤル（５）とを備えた付け替え容器であって、
該外容器（２）は、外容器底部（２２）の中央部に底部開口（２３）を有し、
該レフィル容器（４）は、レフィル底部（４２）の外面から連結片（４４）を垂下設し、
該ロックダイヤル（５）は、該底部開口（２３）に収まる底板部（５１）に摘み部（５２）を有し、該底板部（５１）よりヒンジ部（５４）とアーム部（５３）を介して連結される係止部材（５５）を設けている
ことを特徴とする付け替え容器。
【請求項２】
前記係止部材（５５）は湾曲した板状の部材であり、該係止部材（５５）を構成する曲率半径がレフィル容器（４）の連結片（４４）の曲率半径と同等又は近似している請求項１に記載の付け替え容器。
【請求項３】
前記底部開口（２３）は、小径部（２３ａ）と大径部（２３ｂ）を設けており、
前記摘み部（５２）の直線状に延設された両端部の先端部（５２ａ、５２ａ）間の長さが、該小径部（２３ａ）の直径より長く、該大径部（２３ｂ）の直径より短い請求項１又は２に記載の付け替え容器。
【請求項４】
前記大径部（２３ｂ）に、乗り越えリブ（２３ｃ）を設けている請求項１〜３のいずれかに記載の付け替え容器。
【発明の詳細な説明】
【技術分野】
【０００１】
本発明は、レフィル容器を付け替え自在な付け替え容器に関するものである。
【背景技術】
【０００２】
従来から、クリーム等の内容物が収容される内容器と、該内容器を付け替え自在に収納する外容器と、を備える付け替え容器が知られている。このような内容器は、外容器に対して出し入れ可能なレフィル容器であり、消費者によって外容器内に収納された内容器を取り外して新たな内容器に交換することで、外容器の再利用が図られる。
【０００３】
内容器（レフィル容器）の取り外し時にレフィル容器の口元を掴み引き上げることで、外容器から取り外す機能のものが存在するが、レフィル容器の口元が低く掴みづらい等の付け替え作業がスムーズに行えない不便さがあった。そのため、外容器の本体容器の壁面の一部に切欠部を設けてレフィル容器を掴み易くしたり、コインや上蓋等の別体品を使用してレフィル容器を押し上げたり、外容器の底部に突起部を設け、この突起部を指先で押すことでレフィル容器を押し上げて付け替える方法が考えられる。また、レフィル容器（内容器）に押圧操作により回動可能な押圧部を設け、外容器に押圧部が係止可能な被係止部を設けることが開示されている（例えば、特許文献１）。
しかしながら、上記の内容器の取外し手法を採用する場合には、レフィル容器を取外すのに比較的大きな力が必要となったり、切欠部や貫通部を設けるために容器の外観設計上の制約を生じてしまうといった問題がある。更には、レフィル容器の付け替え作業のやり難さや、その作業方法は一見しただけでは理解し難いものであった。
【先行技術文献】
【特許文献】
【０００４】
【特許文献１】特開２０１０−１９５４８４号公報
【発明の概要】
【発明が解決しようとする課題】
【０００５】
本発明の目的は、上記した従来技術における問題点を解消することであり、レフィル容器の付け替え作業方法が一目で判断できるような容易に理解可能であり、その付け替え作業も簡単な操作で実行できる付け替え容器を提供することである。
【課題を解決するための手段】
【０００６】
上記課題を解決するため、本発明の主たる付け替え容器の構成は、
内容物を収容するレフィル容器と、該レフィル容器を収納する内容器と、該内容器と組み付き外装容器となる外容器と、該レフィル容器と該内容器を嵌合させたり嵌合を解除したりするロックダイヤルとを備えた付け替え容器であって、
該外容器は、外容器底部の中央部に底部開口を有し、
該レフィル容器は、レフィル底部の外面から連結片を垂下設し、
該ロックダイヤルは、該底部開口に収まる底板部に摘み部を有し、該底板部よりヒンジ部とアーム部を介して連結される係止部材を設けている
ことを特徴とする。
【０００７】
上記主たる構成からなる付け替え容器では、付け替え作業を付け替え容器底部のロックダイヤルの簡単な回動操作のみで達成することができ、その付け替え作業方法は容易に理解可能である。
【０００８】
また、本発明の他の構成は、係止部材が湾曲した板状の部材であり、係止部材を構成する曲率半径がレフィル容器の連結片の曲率半径と同等又は近似しているものである。
【０００９】
係止部材の曲率半径が連結片の曲率半径と同等又は近似することで、係止手段と突起部が確実に嵌合できより強固に嵌合することができる。
【００１０】
また更に、本発明の他の構成は、底部開口が小径部と大径部を設けており、摘み部の直線状に延設された両端部の先端部間の長さが、小径部の直径より長く、該大径部の直径より短いものである。
【００１１】
摘み部の先端部間の長さ、つまり摘み部の全長を、小径部の直径より長く、かつ大径部の直径より短くしたことによって、摘み部は大径部だけで摺動可能となり、ロックダイヤルの回動範囲を限定させ、回動動作を行い易くすることができる。
【００１２】
また、本発明の他の構成は、大径部に乗り越えリブを設けているものである。
【００１３】
乗り越えリブによりロックダイヤルが外容器に固定状態となるため、利用者は摘み部の先端部が示す位置でロック状態か解除状態かを判別することが可能となる。また、ロック操作時に、クリック感を与え操作が完了したことを知らせることができる。
【発明の効果】
【００１４】
本発明は、上記した構成となっているので、以下に示す効果を奏する。
本発明の主たる構成においては、レフィル容器の付け替え作業方法が一目で判断できるような容易に理解可能であり、その付け替え作業も付け替え容器底部のロックダイヤルの簡単な回動操作のみで達成することができる。
また、本発明の構成においては、摘み部の先端部間の長さを大径部だけで摺動可能とすることで、ロックダイヤルの回動範囲を限定させ、付け替え作業時の回動動作を行い易くすることができる。
また、本発明の構成においては、乗り越えリブによりロックダイヤルが固定状態となり、利用者は摘み部の先端部が示す位置でロック状態か解除状態かを判別できる。
【図面の簡単な説明】
【００１５】
【図１】本発明の付け替え容器の正面半縦断面図である。
【図２】図１のＡ−Ａ線での横断面図である。
【図３】付け替え容器がロック状態での底面図である。
【図４】付け替え容器が解除状態での正面半縦断面図である。
【図５】図４のＢ−Ｂ線での横断面図である。
【図６】付け替え容器が解除状態での底面図である。
【図７】レフィル容器を交換する際の正面半縦断面図である。
【発明を実施するための形態】
【００１６】
以下、本発明の実施形態について図面を参照しつつ説明する。
【００１７】
図１に示すように、本発明に係る付け替え容器１は、クリーム等の内容物を収容したレフィル容器４と、そのレフィル容器４を収納可能な内容器３と、付け替え容器１の外装容器となる外容器２と、レフィル容器４と内容器３を嵌合させたり嵌合を解除したりするロックダイヤル５と、内容器３にネジ嵌合しレフィル容器４の開口部を覆うキャップ６と、内容器３にキャップ６を組み付けた際に気密性を高めるパッキン７と、を備える構成となっている。
【００１８】
外容器２は、付け替え容器１の外装容器であり、略円筒形状の外周壁部２１と、その外周壁部２１の下方に設けられた外容器底部２２と、を備えている。外容器底部２２は、円環状の接地部２２ａと、接地部２２ａから容器内部に窪んだ底壁部２２ｂからなり、底壁部２２ｂの中央部には略円状の底部開口２３が設けられている。底部開口２３は、小径部２３ａと大径部２３ｂを有し、大径部２３ｂは向かい合う位置に一対設けられており、大径部２３ｂのＬＯＣＫ位置側には乗り越えリブ２３ｃが設けられている（図３参照）。外周壁部２１の上部内面全周には、外容器側係止凹部２４が設けられている。
【００１９】
内容器３は、内周壁部３１を介して外鍔状のフランジ部３２を設けており、フランジ部３２は外容器２の外周壁上端部２１ａに載置する（図１参照）。このフランジ部３２から支持片３３が垂下設され、支持片３３の外周面全周には、外容器側係止凹部２４に係止する内容器側係止凸部３３ａが突設している。内周壁部３１の上部外周面には雄ネジ部３４が刻設されている。内周壁部３１の下部内面には、内周壁部３１が薄肉となった内容器窪み部３５が左右対称状に向かい合う位置に一対設けられている。内容器窪み部３５は、後述する係止部材５５の一部が入り込める大きさ・形状であれば構わない。そして、内容器窪み部３５付近を除く内周壁部３１の下部内面の中央部には内容器底壁３６が設けられている。
【００２０】
レフィル容器４は、略円筒形状のレフィル周壁部４１と、そのレフィル周壁部４１の下方に設けられたレフィル底部４２とを有し、レフィル周壁部４１の上端部からは外鍔状のレフィルフランジ部４３を設けている（図１参照）。レフィル底部４２の外面から連結片４４が全周に亘り垂下設され、連結片４４の下方外周全面には突起部４４ａが突設している。
【００２１】
ロックダイヤル５は、底部開口２３に収まる略円状の底板部５１と、底板部５１の端縁から段差部を介するようにロックダイヤル周壁部５１ａが起立連設されている。底板部５１から下方にロックダイヤル５を回動させる際に指先を掛ける摘み部５２が垂下設されている。摘み部５２は底板部５１の直径方向にて直線状に延設しており、先端部５２ａが底板部５１から僅かはみ出ており、その両端部の先端部５２ａ、５２ａ間の長さが、小径部２３ａの直径より長く、底部開口２３の大径部２３ｂの直径より僅かに短いため、先端部５２ａは大径部２３ｂを摺動する。ロックダイヤル周壁部５１ａの外周から内ヒンジ部５４ａを介してアーム部５３が延設され、そのアーム部５３の外端部に外ヒンジ部５４ｂを介して係止部材５５が一体に連結されている。係止部材５５の上部には、突起部４４ａと嵌合する係止手段５５ａが突設している。係止部材５５は湾曲した板状の部材であり、係止部材５５を構成する湾曲の曲率半径をレフィル容器４の連結片４４の曲率半径と同等又は近似させることによって、係止手段５５ａと突起部４４ａがより強固に嵌合することができる。なお、ロックダイヤル５は、一体連結されたものに限定されるものではなく、例えば、アーム部５３や係止部材５５を別体に形成し、ヒンジ部５４を介して連結する構造のものであっても構わない。また、ロックダイヤル周壁部５１ａを設けず、例えば、底板部５１を略円状部材とし、底板部５１の外周から内ヒンジ部５４ａを介してアーム部５３を延設させても構わない。
【００２２】
ロックダイヤル５に力が掛からず負荷が無い、摘み部５２がＯＰＥＮ位置の状態では、図５に示される様に、ヒンジ部５４が屈曲していないため、アーム部５３がロックダイヤル周壁部５１ａから直線状に伸長していることで、係止部材５５は外側に押され内容器窪み部３５に入り込んでいる。このヒンジ部５４が屈曲していない状態において、内ヒンジ部５４ａ、アーム部５３、外ヒンジ部５４ｂ及び係止部材５５は、底板部５１を挟んで対向する位置に設けられている。一方、図２に示される様に、摘み部５２を反時計周りに回動させると、ヒンジ部５４が屈曲することで係止部材５５が内側に引き寄せられる。
【００２３】
キャップ６は、内容器３の雄ネジ部３４にネジ嵌合する有頂筒状のオーバーキャップ体であり、円盤状の天壁部６１と、天壁部６１の端縁から垂下された円筒形状の周壁部６２と、を備えている（図１参照）。周壁部６２の内周面には、雄ネジ部３４にネジ嵌合する雌ネジ部６３が形成されている。また、キャップ６の内側には、円盤状のパッキン７が嵌合されている。このパッキン７は、キャップ６の天壁部６１の下面に接合されており、パッキン７の外周部が、天壁部６１の下面とレフィルフランジ部４３の上面との間に挟み込まれてシールされ、付け替え容器１は密封される。
【００２４】
次に、このように構成された付け替え容器１の作用について説明する。
内容器３に収容されているレフィル容器４内の内容物が無くなった時に、新たなレフィル容器４に付け替える際は、まず初めに図１に示される内容器３に被着されているキャップ６を取り外す。キャップ６を取り外した際にパッキン７も共に取り外される。
【００２５】
この状態ではレフィル容器４が内容器３に収まっており、摘み部５２の先端部５２ａが乗り越えリブ２３ｃにより係止していることで、ロックダイヤル５が図２や図３に示されるロック状態となっている。このロック状態では、内ヒンジ部５４ａと外ヒンジ部５４ｂが屈曲していることで係止部材５５が内側に引き寄せられ、係止手段５５ａが突起部４４ａにアンダーカット状に嵌合することで、レフィル容器４は内容器３に固定されている（図１参照）。
【００２６】
次に、内容器３からレフィル容器４を取り外すために、摘み部５２を指先で摘みロックダイヤル５を回動させると、先端部５２ａがＬＯＣＫ位置側の乗り越えリブ２３ｃを乗り越し、大径部２３ｂを摺動し、ＯＰＥＮ位置側に向かう（図６参照）。ロックダイヤル５の回動により、図５に示される様に、ヒンジ部５４の屈曲が解消されてアーム部５３は係止部材５５を外方に移動させ、係止部材５５の一部が内容器窪み部３５に入り込む。この係止部材５５の外方への移動によって、係止手段５５ａと突起部４４ａとの嵌合は解除される（図４参照）。
【００２７】
係止手段５５ａと突起部４４ａの嵌合が解除されたことによってレフィル容器４が抜き取り自在となり、レフィルフランジ部４３などを指先で摘み、図７に示される様に、上方に引き上げることで内容器３からレフィル容器４が取り外される。その後、新たなレフィル容器４を内容器３内に挿入し、ロックダイヤル５を回動させ、先端部５２ａがＬＯＣＫ位置側の乗り越えリブ２３ｃを乗り越してロックダイヤル５が係止状態となると、ヒンジ部５４が屈曲することで係止部材５５は内側に引き寄せられ、係止手段５５ａと突起部４４ａが嵌合され、レフィル容器４は内容器３に固定される。
【００２８】
このように本発明においては、ロック時にレフィル容器４を係止手段５５ａと突起部４４ａにより強固に嵌合させているため、レフィル容器４を無理に引き抜いたり、また付け替え容器１を誤って落下させた場合の衝撃等でレフィル容器４が外れてしまうことを防止することができる。
【００２９】
以上、実施例に沿って本発明の構成とその作用効果について説明したが、本発明の実施の形態は上記実施形態に限定されるものではない。
例えば上記実施形態では、外容器２と内容器３を外容器側係止凹部２４と内容器側係止凸部３３ａにより係止させているが、その係止方法は限定されるものではなく、例えばネジ嵌合としても構わない。
更に、上記実施形態において、内容器３に内容器窪み部３５を設けているが、レフィル容器４の大きさやアーム部５３の長さを適宜変更することによって、内容器窪み部３５を設けず、内周壁部３１が均一の肉厚で下端部まで伸びる構成、あるいは内容器窪み部３５が内周壁部３１を貫通するような内周壁部３１の下方に切欠き部を有する構成としても構わない。
また、上記実施形態では、ロックダイヤル５を先端部５２ａによる乗り越えリブ２３ｃの乗り越しでロック状態としているが、底壁部２２ｂに他の係止手段を設けてロックダイヤル５をロック状態とさせても構わない。
【産業上の利用可能性】
【００３０】
以上説明したように、本発明は、付け替え容器の底部に位置するロックダイヤルの簡単な回動操作のみでレフィル容器の付け替え作業が行え、その付け替え方法は容易に理解できるため、付け替え容器の分野における用途展開をさらに広い領域で図ることができる。
【符号の説明】
【００３１】
１    ；付け替え容器
２    ；外容器
３    ；内容器
４    ；レフィル容器
５    ；ロックダイヤル
６    ；キャップ
７    ；パッキン
２１  ；外周壁部
２１ａ；外周壁上端部
２２  ；外容器底部
２２ａ；接地部
２２ｂ；底壁部
２３  ；底部開口
２３ａ；小径部
２３ｂ；大径部
２３ｃ；乗り越えリブ
２４  ；外容器側係止凹部
３１  ；内周壁部
３２  ；内容器フランジ部
３３  ；支持片
３３ａ；内容器側係止凸部
３４  ；雄ネジ部
３５  ；内容器窪み部
３６  ：内容器底壁
４１  ；レフィル周壁部
４２  ；レフィル底部
４３  ；レフィルフランジ部
４４  ；連結片
４４ａ；突起部
５１  ；底板部
５１ａ：ロックダイヤル周壁部
５２  ；摘み部
５２ａ；先端部
５３  ；アーム部
５４  ；ヒンジ部
５４ａ；内ヒンジ
５４ｂ；外ヒンジ
５５  ；係止部材
５５ａ；係止手段
６１  ；天壁部
６２  ；周壁部
６３  ；雌ネジ部
【図１】
2019026329.tif 000003
【図２】
2019026329.tif 000004
【図３】
2019026329.tif 000005
【図４】
2019026329.tif 000006
【図５】
2019026329.tif 000007
【図６】
2019026329.tif 000008
【図７】
2019026329.tif 000009